(57)【要約】【課題】立体視用の映像の視差量を容易に調整することを可能とする。【解決手段】テレビジョン放送受信装置１０は、相互に視差を有する立体視表示用の第１及び第２の映像の視差にかかる調整量が設定された複数のモードの中から、所定のモードを設定するモード設定部２２ｃと、第１及び第２の映像の視差を、設定されたモードに応じた調整量で調整した映像を生成する合成処理部１５と、生成された第１及び第２の映像を視聴者へ表示する立体視用眼鏡と通信する本体側通信部２０とを備える。【選択図】図１
2012142752.tif 000002
【特許請求の範囲】
【請求項１】
相互に視差を有する立体視表示用の第１及び第２の映像の視差にかかる調整量が設定された複数のモードの中から、所定のモードを設定するモード設定手段と、
前記第１及び第２の映像の視差を、設定された前記モードに応じた調整量で調整した映像を生成する映像生成手段と、
生成された前記第１及び第２の映像を視聴者へ表示する立体視用眼鏡と通信する通信手段と、
を備えることを特徴とする立体視映像処理装置。
【請求項２】
前記モード設定手段は、複数の前記モードの中から、前記立体視用眼鏡からの通知に応じたモードに設定すること、
を特徴とする請求項１に記載の立体視映像処理装置。
【請求項３】
前記立体視用眼鏡と、前記モードとを対応して登録する登録手段を更に備え、
前記モード設定手段は、前記立体視用眼鏡からの通知に応じて、当該立体視用眼鏡に対応して登録されたモードに設定すること、
を特徴とする請求項２に記載の立体視映像処理装置。
【請求項４】
前記登録手段は、前記視聴者ごとに、当該視聴者が使用する前記立体視用眼鏡と、前記モードとを登録し、
前記モード設定手段は、前記立体視用眼鏡からの通知に応じて、当該立体視用眼鏡を使用する視聴者に対応して登録されたモードに設定すること、
を特徴とする請求項３に記載の立体視映像処理装置。
【請求項５】
前記登録手段は、前記視聴者ごとに、当該視聴者が使用する前記立体視用眼鏡と、前記視聴者の年令を示す情報とを登録し、
前記モード設定手段は、前記立体視用眼鏡からの通知に応じて、当該立体視用眼鏡を使用する視聴者の年令に対応したモードに設定すること、
を特徴とする請求項３に記載の立体視映像処理装置。
【請求項６】
前記登録手段は、前記年令を示す情報の登録が行われた時点からの時間の経過に応じて、前記年令を更新すること、
を特徴とする請求項５に記載の立体視映像処理装置。
【請求項７】
前記モード設定手段は、複数の前記立体視用眼鏡からの通知により特定される複数のモードの中で、調整後の視差を小さくするモードを設定すること、
を特徴とする請求項２乃至６のいずれか一項に記載の立体視映像処理装置。
【請求項８】
相互に視差を有する立体視表示用の第１及び第２の映像を視聴者へ表示する立体視用眼鏡と通信する通信手段を備える立体視映像処理装置の立体視映像処理方法であって、
前記第１及び第２の映像の視差にかかる調整量が設定された複数のモードの中から、所定のモードを設定するモード設定ステップと、
前記第１及び第２の映像の視差を、設定された前記モードに応じた調整量で調整した映像を生成する映像生成ステップと、
を含むことを特徴とする立体視映像処理方法。
【発明の詳細な説明】
【技術分野】
【０００１】
本発明の実施形態は、立体視映像処理装置及び立体視映像処理方法に関する。
【背景技術】
【０００２】
従来、視聴者に立体感のある映像を認識させるため、視聴者の両眼に対応した視差を有する２種類の映像を用意する立体視映像処理装置がある。この立体視映像処理装置が用意した２種類の映像は、視聴者が装着した立体視用眼鏡により、右目用映像が視聴者の右眼に視認され、左眼用映像が視聴者の左眼に視認される。
【先行技術文献】
【特許文献】
【０００３】
【特許文献１】特開２００６−２６２１９１号公報
【発明の概要】
【発明が解決しようとする課題】
【０００４】
ところで、視聴者の両眼の距離には個人差があるため、右目用映像と左眼用映像との間の適切な視差量も視聴者ごとに異なることとなる。例えば、子供（小人）の両眼の距離は大人に比べて小さいため、大人に適切な視差量の映像を小人が視聴した場合には、奥行き量が誇張された映像として認識されることとなる。しかしながら、従来の立体視映像処理装置では、視聴者にとって適切な視差量に調整することは容易ではなかった。
【０００５】
本発明の実施形態は、立体視用の映像の視差量を容易に調整することを可能とする立体視映像処理装置および立体視映像処理方法を得ることを目的の一つとする。
【課題を解決するための手段】
【０００６】
上述した課題を解決し、目的を達成するために、実施形態の立体視映像処理装置は、相互に視差を有する立体視表示用の第１及び第２の映像の視差にかかる調整量が設定された複数のモードの中から、所定のモードを設定するモード設定手段と、前記第１及び第２の映像の視差を、設定された前記モードに応じた調整量で調整した映像を生成する映像生成手段と、生成された前記第１及び第２の映像を視聴者へ表示する立体視用眼鏡と通信する通信手段とを備えることを特徴とする。
【０００７】
実施形態の立体視映像処理方法は、相互に視差を有する立体視表示用の第１及び第２の映像を視聴者へ表示する立体視用眼鏡と通信する通信手段を備える立体視映像処理装置の立体視映像処理方法であって、前記第１及び第２の映像の視差にかかる調整量が設定された複数のモードの中から、所定のモードを設定するモード設定ステップと、前記第１及び第２の映像の視差を、設定された前記モードに応じた調整量で調整した映像を生成する映像生成ステップとを含むことを特徴とする。
【図面の簡単な説明】
【０００８】
【図１】図１は、テレビジョン放送受信装置の構成を示すブロック図である。
【図２】図２は、合成処理部の構成を示すブロック図である。
【図３】図３は、立体視用眼鏡の構成を示すブロック図である。
【図４】図４は、視聴者が立体視を体感する様子を説明する概念図である。
【図５】図５は、ユーザによって異なる適切な視差について説明する概念図である。
【図６】図６は、テレビジョン放送受信装置の動作の一例を示すフローチャートである。
【図７】図７は、モード設定画面の一例を示す概念図である。
【図８】図８は、視聴者にかかる情報の登録を示す概念図である。
【図９】図９は、視聴者にかかる情報の登録を示す概念図である。
【発明を実施するための形態】
【０００９】
以下に添付図面を参照して、実施形態にかかる立体視映像処理装置及び立体視映像処理方法を詳細に説明する。以下では、立体視映像処理装置としてテレビジョン放送受信装置を例に説明する。
【００１０】
図１は、テレビジョン放送受信装置１０の構成を示すブロック図である。なお、テレビジョン放送受信装置１０は、通常の平面視（二次元）表示用の映像信号に基づく映像表示、及び、立体視（三次元）表示用の映像信号に基づく映像表示を行うことが可能な映像表示装置である。
【００１１】
アンテナ１１で受信したデジタルテレビジョン放送信号は、入力端子１０ａを介してチューナ部１２に供給される。チューナ部１２では、制御部２２の制御の下、所望のチャンネルのデジタルテレビジョン放送信号が選局される。チューナ部１２で選局された放送信号は、復調復号部１３に供給されてデジタルの映像信号及び音声信号等に復元された後、信号処理部１４に出力される。
【００１２】
信号処理部１４は、復調復号部１３から供給されたデジタルの映像信号及び音声信号に対して、それぞれ所定のデジタル信号処理を施している。この信号処理部１４が行う所定のデジタル信号処理には、通常の平面視表示用の映像信号を立体視表示用の映像信号に変換する処理や、立体視表示用の映像信号（右眼用の映像にかかる映像信号、左眼用の映像にかかる映像信号）を平面視表示用の映像信号に変換する処理等も含まれている。そして、信号処理部１４は、デジタルの映像信号を合成処理部１５に出力し、デジタルの音声信号を音声処理部１６に出力している。
【００１３】
このうち、合成処理部１５は、信号処理部１４から供給されるデジタルの映像信号に、ＯＳＤ信号生成部１７（On  Screen  Display）で生成されるＯＳＤ信号を重畳して出力している。この場合、合成処理部１５は、信号処理部１４から供給される映像信号が通常の平面視表示用の映像信号であれば、その映像信号にＯＳＤ信号生成部１７から供給されたＯＳＤ信号をそのまま重畳して出力している。
【００１４】
また、合成処理部１５は、信号処理部１４から供給される映像信号が立体視表示用の映像信号である場合、詳細は後述するが、制御部２２より出力されるモード選択信号をもとにしたモードに応じた調整量で、右眼用の映像と左眼用の映像との視差を調整した映像信号を生成する。次いで、合成処理部１５は、ＯＳＤ信号生成部１７から供給されたＯＳＤ信号を立体視表示用の映像信号に重畳して出力する。
【００１５】
合成処理部１５から出力されたデジタルの映像信号は、映像処理部１８に供給される。映像処理部１８は、入力されたデジタルの映像信号を、後段の、例えば液晶表示パネル等を有する平面型の映像表示部１９で表示可能なフォーマットのアナログ映像信号に変換している。そして、この映像処理部１８から出力されたアナログ映像信号が、映像表示部１９に供給されて映像表示に供される。
【００１６】
本体側通信部２０は、右眼用の映像と左眼用の映像とを選択して視聴者に視認させる立体視用眼鏡３０と通信を行う。具体的には、本体側通信部２０は、合成処理部１５に接続され、後述する眼鏡制御部４８（図２参照）から出力された左眼用及び右眼用のシャッタ制御信号を各立体視用眼鏡３０に送信する。また、本体側通信部２０は、立体視用眼鏡３０より通知されたデータ（例えば立体視用眼鏡３０との間で通信が確立された際に通知された装置固有の識別情報）を制御部２２に出力する。なお、本体側通信部２０の通信方式は、特に問わず、例えば、Ｂｌｕｅｔｏｏｔｈ（登録商標）や赤外線通信方式、ＤＬＰ−ＬＩＮＫ（登録商標）方式等を用いることができる。
【００１７】
ここで、合成処理部１５の詳細について説明する。図２は、合成処理部１５の構成を示すブロック図である。信号処理部１４から出力されるデジタルの映像信号は、入力端子３７を介して映像変換部３８に供給される。
【００１８】
映像変換部３８は、入力された映像信号が立体視表示用の映像信号である場合、その映像信号を特定の映像フォーマットに変換して、画質制御部３９に出力している。すなわち、立体視表示用の映像信号には、例えば１フレーム同期期間内で左目用映像フレーム後に右目用映像フレームを送出するフレームパッキング方式や、１水平期間内で左目用映像ライン後に右目用映像ラインを送出するサイドバイサイド方式等、様々な映像フォーマットが存在する。さらに、各映像フォーマットの中でも、映像のサイズや走査方式（インターレース／プログレッシブ）等が種々存在する。このため、アンテナ１１においては、映像変換部３８が、入力された立体視表示用の映像信号に対して、スケーリング処理やＩＰ（Interlace／Progressive）変換処理等の適切な処理を施すことにより、水平方向１９２０画素×垂直方向１０８０ラインの映像サイズのフレームパッキング方式の映像フォーマットに変換し、垂直同期信号に同期させて画質制御部３９に出力するものとする。
【００１９】
また、映像変換部３８は、入力された映像信号が立体視（３次元）表示用の映像信号である場合、モード選択信号に応じて視差量調整部６０から出力される調整量をもとに、右眼用の映像と左眼用の映像との間の視差を調整する。具体的には、左目用映像フレームと右目用映像フレームとの間の水平方向の位置や、左目用映像ラインと右目用映像ラインとの間の水平方向の位置を、視差量調整部６０から出力される調整量分ずらすなどして視差の調整を行う。視差量調整部６０は、相互に視差を有する右目用の映像と左眼用の映像との視差にかかる調整量がモードごとに設定されたモード／調整量テーブル６１を参照することで、制御部２２より出力されるモード選択信号が示すモードに対応した調整量を映像変換部３８に出力する。
【００２０】
画質制御部３９は、入力された映像信号に対して、制御部２２の制御に基づいた明るさ調整、コントラスト調整及び色相調整等の画質調整処理を施し、垂直同期信号に同期させて合成部４１に出力する。ＯＳＤバッファ４５は、ＯＳＤ信号生成部１７から出力され、入力端子４４を介して供給されるＯＳＤ信号を記憶する。合成部４１は、画質制御部３９から出力される映像信号と、ＯＳＤバッファ４５に記憶されているＯＳＤ信号とを合成して、フレーム変換部４６へ出力する。
【００２１】
合成部４１で合成された映像信号は、フレーム変換部４６に出力されて、垂直同期周波数を２倍に変換されて、つまり、フレーム周波数を倍速化された後、出力端子４７から映像処理部１８を介して映像表示部１９に出力される。これにより、映像表示部１９では、左目用映像フレームと、右目用映像フレームとが交互に表示される。
【００２２】
フレーム変換部４６で生成されるフレーム同期信号は、眼鏡制御部４８に供給される。眼鏡制御部４８は、フレーム変換部４６から供給されたフレーム同期信号に基づいて左目用及び右目用のシャッタ制御信号を生成し、出力端子４９を介して接続する本体側通信部２０より立体視用眼鏡３０へ出力している。
【００２３】
図１に戻り、音声処理部１６は、信号処理部１４から入力されたデジタルの音声信号を、後段のスピーカ２１で再生可能なフォーマットのアナログ音声信号に変換する。音声処理部１６から出力されたアナログ音声信号は、スピーカ２１に供給されることにより音声再生に供される。
【００２４】
制御部２２は、テレビジョン放送受信装置１０の各部の動作を統括的に制御する。制御部２２は、ＣＰＵ２２ａ（Central  Processing  Unit）を内蔵しており、テレビジョン放送受信装置１０の本体に設置された操作部２３からの操作情報を受けて、または、リモートコントローラ５０から送出され受信部２４で受信した操作情報を受けて、その操作内容が反映されるように各部をそれぞれ制御している。
【００２５】
この統括的に制御する動作の実行時において、制御部２２は、メモリ部２２ｂを利用している。メモリ部２２ｂは、主として、ＣＰＵ２２ａが実行する制御プログラムを格納したＲＯＭ（Read  Only  Memory）と、ＣＰＵ２２ａに作業エリアを提供するためのＲＡＭ（Random  Access  Memory）と、各種の設定情報及び制御情報等が格納される不揮発性メモリとを有している。
【００２６】
また、制御部２２には、ディスクドライブ部２５が接続されている。ディスクドライブ部２５は、例えばＤＶＤ（Digital  Versatile  Disk）等の光ディスクＭを着脱自在とするもので、装着された光ディスクＭに対してデジタルデータの記録再生を行なう機能を有している。
【００２７】
制御部２２は、ユーザ（視聴者）による操作部２３やリモートコントローラ５０の操作に基づいて、上記復調復号部１３から得られるデジタルの映像信号及び音声信号を、記録再生処理部２６によって暗号化し所定の記録フォーマットに変換した後、ディスクドライブ部２５に供給して光ディスクＭに記録させるように制御することができる。
【００２８】
また、制御部２２は、視聴者による操作部２３やリモートコントローラ５０の操作に基づいて、ディスクドライブ部２５により光ディスクＭからデジタルの映像信号及び音声信号を読み出させ、上記記録再生処理部２６によって復号化した後、信号処理部１４に供給することによって、以後、上記した映像表示及び音声再生に供させるように制御することができる。
【００２９】
また、制御部２２には、ＨＤＤ２７（Hard  Disk  Drive）が接続されている。制御部２２は、視聴者による操作部２３やリモートコントローラ５０の操作に基づいて、上記復調復号部１３から得られるデジタルの映像信号及び音声信号を、記録再生処理部２６によって暗号化し所定の記録フォーマットに変換した後、ＨＤＤ２７に記録させるように制御することができる。
【００３０】
また、制御部２２は、視聴者による操作部２３やリモートコントローラ５０の操作に基づいて、ＨＤＤ２７からデジタルの映像信号及び音声信号を読み出させ、上記記録再生処理部２６によって復号化した後、信号処理部１４に供給することによって、以後、上記した映像表示及び音声再生に供させるように制御することができる。
【００３１】
さらに、テレビジョン放送受信装置１０には、入力端子１０ｂが接続されている。入力端子１０ｂは、テレビジョン放送受信装置１０の外部からデジタルの映像信号及び音声信号を直接入力するためのものである。入力端子１０ｂを介して入力されたデジタルの映像信号及び音声信号は、制御部２２の制御に基づいて、記録再生処理部２６を介した後、信号処理部１４に供給されて、以後、上記した映像表示及び音声再生に供される。
【００３２】
また、入力端子１０ｂを介して入力されたデジタルの映像信号及び音声信号は、制御部２２の制御に基づいて、記録再生処理部２６を介した後、ディスクドライブ部２５による光ディスクＭに対しての記録再生や、ＨＤＤ２７に対しての記録再生に供される。
【００３３】
なお、制御部２２は、視聴者による操作部２３やリモートコントローラ５０の操作に基づいて、ディスクドライブ部２５とＨＤＤ２７との間で、光ディスクＭに記録されているデジタルの映像信号及び音声信号をＨＤＤ２７に記録したり、ＨＤＤ２７に記録されているデジタルの映像信号及び音声信号を光ディスクＭに記録したりすることも制御している。
【００３４】
また、制御部２２には、ネットワークインタフェース２８が接続されている。ネットワークインタフェース２８は、外部のネットワークＮに接続されている。ネットワークインタフェース２８はネットワークＮを介し、図示しない外部装置との間で通信を行う。このため、制御部２２は、ネットワークインタフェース２８を介し、ネットワークＮに接続された外部装置にアクセスして情報通信を行なうことにより、そこで提供しているサービスを利用することができるようになっている。
【００３５】
また、制御部２２は、ＣＰＵ２２ａがメモリ部２２ｂのＲＯＭなどに記憶されたプログラムをＲＡＭに展開して順次実行することで、モード設定部２２ｃ、視聴者登録部２２ｄとしての機能を有する。モード設定部２２ｃは、視聴者による操作部２３やリモートコントローラ５０の操作、視聴者が使用している立体視用眼鏡３０から本体側通信部２０を介して通知される情報（識別情報やモードを示すモード情報）をもとに、調整量にかかるモードを設定する（モード設定の詳細については後述する）。モード設定部２２ｃにより設定されたモードは、そのモードを示すモード選択信号として合成処理部１５へ通知される。視聴者登録部２２ｄは、詳細は後述するが、視聴者ごとの情報（年令、使用する立体視用眼鏡３０、調整量にかかるモードなど）を登録する。
【００３６】
次に、図３を参照して、立体視用眼鏡３０について説明する。図３は、立体視用眼鏡３０の構成を示すブロック図である。図３に示すように、立体視用眼鏡３０は、液晶シャッタ眼鏡３１と、眼鏡側通信部３２と、シャッタ駆動部３４と、シャッタ制御部３５とを備えている。
【００３７】
液晶シャッタ眼鏡３１は、視聴者の左眼の視界を開放又は遮蔽するための左眼液晶シャッタ（Ｌシャッタ）３１１と、視聴者の右眼の視界を開放又は遮蔽するための右眼液晶シャッタ（Ｒシャッタ）３１２とを有している。したがって、視聴者は液晶シャッタ眼鏡３１を眼前に装着して映像表示部１９を見ることで、左眼用の画像と右眼用の画像とが交互に選択して表示される。視聴者は、交互に表示される左眼用の画像と右眼用の画像とを左眼と右眼とで交互に鑑賞することにより、立体視を体感する。
【００３８】
図４は、視聴者Ｕ１が立体視を体感する様子を説明する概念図である。図４に示すように、左目用画像ＧＬと、右眼用画像ＧＲとが映像表示部１９の画面Ｇに交互に表示される。左目用画像ＧＬが画面Ｇに表示される時、立体視用眼鏡３０を装着した視聴者Ｕ１は、左眼ＥＬより左目用画像ＧＬの星（白抜き）を鑑賞する。また、右眼用画像ＧＲが画面Ｇに表示される時、立体視用眼鏡３０を装着した視聴者Ｕ１は、右眼ＥＲより右眼用画像ＧＲの星（黒塗り）を鑑賞する。左目用画像ＧＬと右眼用画像ＧＲの星には視差Ｄがあることから、視聴者Ｕ１は、星の虚像ＩＭを立体視することとなる。
【００３９】
図３に戻り、眼鏡側通信部３２は、本体側通信部２０の通信方式に対応した通信装置であって、テレビジョン放送受信装置１０の本体側通信部２０から送信された左眼用及び右眼用のシャッタ制御信号を受信する。また、眼鏡側通信部３２は、シャッタ制御部３５の制御の下、装置ＩＤなどの装置に固有の識別情報や、装置に予め設定されたモードを示すモード情報を本体側通信部２０へ送信する。
【００４０】
シャッタ駆動部３４は、シャッタ制御部３５から入力される制御信号に従い、Ｌシャッタ３１１及びＲシャッタ３１２を開閉することで、テレビジョン放送受信装置１０の映像表示部１９に表示される映像（光）の透過状態と不透過状態を実現する。
【００４１】
シャッタ制御部３５は、ＣＰＵ３５ａを内蔵し、眼鏡側通信部３２から入力される左眼用及び右眼用のシャッタ制御信号に基づいて、Ｌシャッタ３１１及びＲシャッタ３１２の開閉を制御する。具体的には、眼鏡側通信部３２から入力される左眼用及び右眼用のシャッタ制御信号と同期して、Ｌシャッタ３１１及びＲシャッタ３１２を交互に開閉させる駆動信号をシャッタ駆動部３４に出力する。この駆動信号によってシャッタ駆動部３４が駆動することで、左眼用映像フレームがテレビジョン放送受信装置１０に表示されているときに、Ｌシャッタ３１１の開状態とＲシャッタ３１２の閉状態とを実現し、右眼用映像フレームがテレビジョン放送受信装置１０に表示されているときに、Ｌシャッタ３１１の閉状態とＲシャッタ３１２の開状態とを実現する。
【００４２】
また、シャッタ制御部３５は、電源ボタン（図示しない）による電源投入時などに眼鏡側通信部３２を介してテレビジョン放送受信装置１０との間の通信を確立させた際に、上述した識別情報やモード情報を眼鏡側通信部３２よりテレビジョン放送受信装置１０へ通知する。上述した制御において、シャッタ制御部３５は、メモリ部３５ｂを利用している。メモリ部３５ｂは、主として、ＣＰＵ３５ａが実行する制御プログラムを格納したＲＯＭと、ＣＰＵ３５ａに作業エリアを提供するためのＲＡＭと、各種の設定情報及び制御情報等が格納される不揮発性メモリとを有している。装置に固有の識別情報やモード情報などは上述した不揮発性メモリに格納されている。
【００４３】
なお、モード情報は、視差を大人用に調整する大人用モード、視差を小人用に調整する小人用モード（詳細は後述する）などを識別するコードなどである。例えば、大人が使用するために設計された大人用の立体視用眼鏡３０には、モード情報として大人用モードを示すコードが設定されている。また、小人が使用するために設計された小人用の立体視用眼鏡３０には、モード情報として小人用モードを示すコードが設定されている。
【００４４】
次に、視差の調整にかかるモードの設定について説明する。図５は、ユーザによって異なる適切な視差について説明する概念図である。図５に示すように、両眼距離ＥＤ１の視聴者Ｕ１において、視差Ｄの虚像ＩＭは距離Ｌ１として体感される。しかしながら、両眼距離ＥＤ１より狭い両眼距離ＥＤ２の視聴者Ｕ２では、視差Ｄの虚像ＩＭは距離Ｌ１より迫った距離Ｌ２として体感される。すなわち、両眼距離ＥＤ１の視聴者Ｕ１（大人）を基準にした視差Ｄの立体視用の映像は、小人などの視聴者Ｕ２では実際より奥行き量が誇張されてしまう。このように、小人などの視聴者Ｕ２は、大人である視聴者Ｕ１を基準とした視差Ｄより狭く調整した、視差Ｄ１の立体視用の映像を画面Ｇに表示させることで、虚像ＩＭを距離Ｌ１として体感することができる。実施形態にかかるテレビジョン放送受信装置１０は、視差を調整するモードを設定することで、上述した視差の調整を視聴者がより簡便に行うものである。
【００４５】
図６は、テレビジョン放送受信装置１０の動作の一例を示すフローチャートである。図６に示すように、テレビジョン放送受信装置１０では、モード設定部２２ｃが視差にかかるモードの設定を行う（Ｓ１）。具体的には、モード設定部２２ｃは、モードの設定を行うＯＳＤの信号をＯＳＤ信号生成部１７に生成させてモード設定画面を映像表示部１９に表示させる。次いで、モード設定部２２ｃは、視聴者による操作部２３やリモートコントローラ５０の操作をもとに、モードの設定を行う。
【００４６】
図７は、モード設定画面の一例を示す概念図である。図７に示すように、モード設定の際には、モードを選択して設定するモード設定ボタン１９１、モード設定ボタン１９２などを映像表示部１９のモード設定画面に表示する。ここで、モード設定ボタン１９１は、モード／調整量テーブル６１において大人用の調整量が設定されている大人用モードを選択設定する操作ボタンである。また、モード設定ボタン１９２は、モード／調整量テーブル６１において大人用よりも視差が小さくなる小人用の調整量が設定されている小人用モードを選択設定する操作ボタンである。したがって、視聴者は操作部２３やリモートコントローラ５０を操作してモード設定ボタン１９１、１９２を選択することで、所望のモードを容易に設定できる。
【００４７】
Ｓ１に次いで、視差量調整部６０は、モード設定部２２ｃより設定されたモードに応じて入力されるモード選択信号をもとにモード／調整量テーブル６１を参照することで、右眼用の映像と左眼用映像との間の視差量の調整量を決定する（Ｓ２）。次いで、映像変換部３８では、Ｓ２で決定された調整量で右眼用の映像と左眼用の映像との間の視差を調整した映像を生成し（Ｓ３）、画質制御部３９へ出力する。
【００４８】
また、Ｓ１において、モード設定部２２ｃは、立体視用眼鏡３０より大人用モードや小人用などのモードを示すコードが通知された場合、そのコードに応じて視差にかかるモードを設定してもよい。モード設定部２２ｃは、これにより、例えば小人の視聴者が小人用の立体視用眼鏡３０の使用を開始した場合（電源投入により通信が確立された場合）は、視差にかかるモードが使用される小人用の立体視用眼鏡３０に対応した設定となり、モード設定がより簡易となる。
【００４９】
また、Ｓ１において、モード設定部２２ｃは、立体視用眼鏡３０より識別情報が通知された場合、その識別情報により視聴者登録部２２ｄを参照し、立体視用眼鏡３０と対応して登録されたモードを設定してもよい。より具体的には、立体視用眼鏡３０を使用する視聴者と対応して登録されたモードを設定する。
【００５０】
ここで、視聴者登録部２２ｄについて説明する。視聴者登録部２２ｄは、立体視用眼鏡３０ごとに、より具体的には立体視用眼鏡を使用する視聴者ごとに、視聴者が使用する立体視用眼鏡３０と、視聴者に対応する視差にかかるモードとを登録する。具体的には、視聴者登録部２２ｄは、視聴者ごとの各種設定を行うＯＳＤの信号をＯＳＤ信号生成部１７に生成させて視聴者登録画面を映像表示部１９に表示させる。次いで、視聴者登録部２２ｄは、視聴者による操作部２３やリモートコントローラ５０の操作をもとに設定された内容を登録する。
【００５１】
図８は、視聴者にかかる情報の登録を示す概念図である。図８に示すように、視聴者にかかる情報を登録する際には、登録を行う視聴者を選択する視聴者選択画面１９３を映像表示部１９に表示する。次いで、視聴者登録部２２ｄは、視聴者選択画面１９３により選択のあった視聴者が使用する立体視用眼鏡３０や、視差にかかるモードを設定する視聴者登録画面１９４を映像表示部１９に表示する。視聴者は操作部２３やリモートコントローラ５０を操作して視聴者、使用する立体視用眼鏡３０、モードを順次選択することで、立体視用眼鏡３０ごとのモード、より具体的には立体視用眼鏡３０を使用する視聴者とその視聴者のモードにかかる情報の登録を行う。登録された情報は、視聴者を示す視聴者ＩＤ、使用する立体視用眼鏡３０を示す識別情報、設定されたモードを１レコードとする視聴者情報テーブル２２ｅとして、メモリ部２２ｂなどに記憶されて保持される。
【００５２】
これにより、視聴者は、視聴者登録部２２ｄで登録済みの立体視用眼鏡３０の使用を開始した場合（電源投入により通信が確立された場合）は、予め登録されたモードに従って視差の調整が行われることから、モード設定をより簡易なものとすることができる。
【００５３】
また、Ｓ１において、モード設定部２２ｃは、立体視用眼鏡３０より識別情報が通知された場合、その識別情報により視聴者登録部２２ｄを参照し、立体視用眼鏡３０を使用する視聴者の登録年令をもとに、モードを設定してもよい。
【００５４】
図９は、視聴者にかかる情報の登録を示す概念図である。図９に示すように、視聴者にかかる情報を登録する際に、視聴者登録部２２ｄは、視聴者選択画面１９３により選択のあった視聴者が使用する立体視用眼鏡３０や、視聴者の年令を設定する視聴者登録画面１９５を映像表示部１９に表示する。なお、年令の設定は、登録時の年令だけでなく、生年月日であってもよい。
【００５５】
視聴者は操作部２３やリモートコントローラ５０を操作して視聴者、使用する立体視用眼鏡３０、年令を順次設定することで、視聴者にかかる情報の登録を行う。登録された情報は、視聴者を示す視聴者ＩＤ、使用する立体視用眼鏡３０を示す識別情報、年令等を１レコードとする視聴者情報テーブル２２ｅとして、メモリ部２２ｂなどに記憶されて保持される。なお、視聴者登録部２２ｄは、ＲＴＣ（Real Time Clock）機能を有しており、このＲＴＣ機能により計時される日時をもとに、登録が行われた時点からの時間の経過に応じて、視聴者情報テーブル２２ｅに登録されている視聴者の年令を更新する。例えば、視聴者情報テーブル２２ｅは、年令の設定が行われた日時と、設定された年令とを登録時の年令を示す情報として保持しており、視聴者登録部２２ｄは、設定が行われた日時より計時される日時が一年経過したところで登録されている年令を更新する。このため、視聴者登録部２２ｄにより登録された視聴者の年令は、視聴者の加齢に合わせたものとなる。
【００５６】
モード設定部２２ｃは、年令と視差にかかるモードとが予め設定された年令／モード変換テーブル２２ｆを参照することで、立体視用眼鏡３０を使用する視聴者の年令に応じたモードを設定できる。なお、年令／モード変換テーブル２２ｆは、メモリ部２２ｂなどに予め設定されているものとする。
【００５７】
これにより、視聴者は、視聴者登録部２２ｄで登録済みの立体視用眼鏡３０の使用を開始した場合（電源投入により通信が確立された場合）は、予め登録された年令に従って視差の調整が行われることから、モード設定をより簡易なものとすることができる。
【００５８】
また、Ｓ１において、モード設定部２２ｃは、複数の立体視用眼鏡３０からの通知（識別情報、モード情報）により複数のモードが特定される場合は、モード／調整量テーブル６１を参照して調整後の視差を小さくするモードを設定してもよい。具体的には、大人用の立体視用眼鏡３０と小人用の立体視用眼鏡３０の使用が開始されて、それらのモード情報が通知された場合には、調整後の視差を小さくする小人用モードが設定される。また、二人の視聴者のそれぞれが使用する立体視用眼鏡３０の識別情報が通知された場合は、二人の視聴者が設定したモードや、二人の視聴者の年令から特定されるモードの中で、調整後の視差を小さくするモードが設定される。これにより、複数の立体視用眼鏡３０が同時に使用される場合には、より視差を小さくするモードが優先的に設定されることとなる。
【００５９】
なお、本実施形態のテレビジョン放送受信装置１０で実行されるプログラムは、ＲＯＭ等に予め組み込まれて提供される。本実施形態のテレビジョン放送受信装置１０で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００６０】
さらに、本実施形態のテレビジョン放送受信装置１０で実行されるプログラムを、インターネット等のネットワークに接続されたコンピュータ上に格納し、ネットワーク経由でダウンロードさせることにより提供するように構成しても良い。また、本実施形態のテレビジョン放送受信装置１０で実行されるプログラムをインターネット等のネットワーク経由で提供または配布するように構成しても良い。
【００６１】
本実施形態のテレビジョン放送受信装置１０で実行されるプログラムは、上述した各部を含むモジュール構成となっており、実際のハードウェアとしてはＣＰＵ（プロセッサ）が上記ＲＯＭからプログラムを読み出して実行することにより上記各部が主記憶装置上にロードされ、上述した各部が主記憶装置上に生成されるようになっている。
【００６２】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。 
【符号の説明】
【００６３】
１０…テレビジョン放送受信装置、１１…アンテナ、１２…チューナ部、１３…復調復号部、１４…信号処理部、１５…合成処理部、１６…音声処理部、１７…ＯＳＤ信号生成部、１８…映像処理部、１９…映像表示部、２０…本体側通信部、２１…スピーカ、２２…制御部、２２ａ…ＣＰＵ、２２ｂ…メモリ部、２２ｃ…モード設定部、２２ｄ…視聴者登録部、２２ｅ…視聴者情報テーブル、２２ｆ…年令／モード変換テーブル、２３…操作部、３０…立体視用眼鏡、３１…液晶シャッタ眼鏡、３２…眼鏡側通信部、３４…シャッタ駆動部、３５…シャッタ制御部、３５ａ…ＣＰＵ、３５ｂ…メモリ部、３８…映像変換部、３９…画質制御部、４１…合成部、４５…ＯＳＤバッファ、４６…フレーム変換部、４８…眼鏡制御部、６０…視差量調整部、６１…モード／調整量テーブル、５０…リモートコントローラ、１９１、１９２…モード設定ボタン、１９３…視聴者選択画面、１９４、１９５…視聴者登録画面、３１１…Ｌシャッタ、３１２…Ｒシャッタ、Ｄ、Ｄ１…視差、ＥＬ…左眼、ＥＲ…右眼、ＥＤ１、ＥＤ２…両眼距離、ＧＬ…左目用画像、ＧＲ…右眼用画像、Ｇ…画面、ＩＭ…虚像、Ｌ１、Ｌ２…距離、Ｕ１、Ｕ２…視聴者
【図１】
2012142752.tif 000003
【図２】
2012142752.tif 000004
【図３】
2012142752.tif 000005
【図４】
2012142752.tif 000006
【図５】
2012142752.tif 000007
【図６】
2012142752.tif 000008
【図７】
2012142752.tif 000009
【図８】
2012142752.tif 000010
【図９】
2012142752.tif 000011
【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
相互に視差を有する立体視表示用の第１及び第２の映像の視差にかかる調整量が設定された複数のモードの中から、所定のモードを設定するモード設定手段と、
前記第１及び第２の映像の視差を、設定された前記モードに応じた調整量で調整した映像を生成する映像生成手段と、
生成された前記第１及び第２の映像を視聴者へ表示する立体視用眼鏡と通信する通信手段と、
前記立体視用眼鏡と、前記モードとを対応して登録する登録手段と、を備え、
前記モード設定手段は、前記立体視用眼鏡からの通知に応じて、当該立体視用眼鏡に対応して登録されたモードに設定すること、
を特徴とする立体視映像処理装置。
【請求項２】
前記登録手段は、前記視聴者ごとに、当該視聴者が使用する前記立体視用眼鏡と、前記モードとを登録し、
前記モード設定手段は、前記立体視用眼鏡からの通知に応じて、当該立体視用眼鏡を使用する視聴者に対応して登録されたモードに設定すること、
を特徴とする請求項１に記載の立体視映像処理装置。
【請求項３】
前記登録手段は、前記視聴者ごとに、当該視聴者が使用する前記立体視用眼鏡と、前記視聴者の年令を示す情報とを登録し、
前記モード設定手段は、前記立体視用眼鏡からの通知に応じて、当該立体視用眼鏡を使用する視聴者の年令に対応したモードに設定すること、
を特徴とする請求項１に記載の立体視映像処理装置。
【請求項４】
前記登録手段は、前記年令を示す情報の登録が行われた時点からの時間の経過に応じて、前記年令を更新すること、
を特徴とする請求項３に記載の立体視映像処理装置。
【請求項５】
前記モード設定手段は、複数の前記立体視用眼鏡からの通知により特定される複数のモードの中で、調整後の視差を小さくするモードを設定すること、
を特徴とする請求項１乃至４のいずれか一項に記載の立体視映像処理装置。
【請求項６】
相互に視差を有する立体視表示用の第１及び第２の映像を視聴者へ表示する立体視用眼鏡と通信する通信手段を備える立体視映像処理装置の立体視映像処理方法であって、
前記第１及び第２の映像の視差にかかる調整量が設定された複数のモードの中から、所定のモードを設定するモード設定ステップと、
前記第１及び第２の映像の視差を、設定された前記モードに応じた調整量で調整した映像を生成する映像生成ステップと、
前記立体視用眼鏡と、前記モードとを対応して登録するステップと、を含み、
前記モード設定ステップは、前記立体視用眼鏡からの通知に応じて、当該立体視用眼鏡に対応して登録されたモードに設定すること、
を特徴とする立体視映像処理方法。
【手続補正２】
【補正対象書類名】明細書
【補正対象項目名】０００６
【補正方法】変更
【補正の内容】
【０００６】
上述した課題を解決し、目的を達成するために、実施形態の立体視映像処理装置は、相互に視差を有する立体視表示用の第１及び第２の映像の視差にかかる調整量が設定された複数のモードの中から、所定のモードを設定するモード設定手段と、前記第１及び第２の映像の視差を、設定された前記モードに応じた調整量で調整した映像を生成する映像生成手段と、生成された前記第１及び第２の映像を視聴者へ表示する立体視用眼鏡と通信する通信手段と、前記立体視用眼鏡と、前記モードとを対応して登録する登録手段と、を備え、前記モード設定手段は、前記立体視用眼鏡からの通知に応じて、当該立体視用眼鏡に対応して登録されたモードに設定することを特徴とする。
【手続補正３】
【補正対象書類名】明細書
【補正対象項目名】０００７
【補正方法】変更
【補正の内容】
【０００７】
実施形態の立体視映像処理方法は、相互に視差を有する立体視表示用の第１及び第２の映像を視聴者へ表示する立体視用眼鏡と通信する通信手段を備える立体視映像処理装置の立体視映像処理方法であって、前記第１及び第２の映像の視差にかかる調整量が設定された複数のモードの中から、所定のモードを設定するモード設定ステップと、前記第１及び第２の映像の視差を、設定された前記モードに応じた調整量で調整した映像を生成する映像生成ステップと、前記立体視用眼鏡と、前記モードとを対応して登録するステップと、を含み、前記モード設定ステップは、前記立体視用眼鏡からの通知に応じて、当該立体視用眼鏡に対応して登録されたモードに設定することを特徴とする。